(57)【特許請求の範囲】
【請求項１】
計数した歩数を歩数データとして記憶し、歩数データに基づき複数の歩数関連データを算出して記憶する歩数計において、
異なる期間で計数する複数の表示形式の歩数データおよび異なる期間で算出する複数の表示形式の前記歩数関連データをそれぞれ表示可能な表示装置と、
前記歩数データの前記複数の表示形式間の表示の切り替え、前記歩数関連データの前記複数の表示形式間の切り替え、および前記歩数データと前記歩数関連データとの間の表示の切り替えを行うための操作手段を有し、
前記歩数データの複数の表示形式のうち当日の歩数として計数している歩数データ（以下「当日の歩数データ」という）以外の表示形式の歩数データまたは前記歩数関連データの前記複数の表示形式のうちいずれかのデータが表示装置に表示されているときに、所定時間操作手段の操作がおこなわれないと、前記表示装置の表示が前記当日の歩数データに自動的に切り替わることを特徴とする歩数計。
【請求項２】
前記歩数関連データは、消費カロリー、脂肪燃焼量、歩行距離、歩行時間、平均速度に関する情報の少なくともいずれか一つを含むことを特徴とする請求項１に記載の歩数計。
【請求項３】
前記歩数データと前記歩数関連データとが有する前記複数の表示形式は、互いに同じ種類の表示形式であることを特徴とする請求項１または２のいずれか１項に記載の歩数計。
【発明の詳細な説明】
【技術分野】
【０００１】
この発明は、歩数計に関する。
【背景技術】
【０００２】
歩数計は、加速度センサにより歩行者の上下方向の加速度を検出し、その検出値の変化に基づいて歩数（体動）を計数し、計数した歩数を数値表示する。近年、歩数計は、歩数を表示するだけでなく、消費カロリー、脂肪燃焼量、歩行距離、歩行時間など、多くの情報を切り替えて表示することができる。また、当日の歩数を表示するだけでなく、過去数日ごとの歩数を表示したり複数日の累計歩数を表示したりすることができる。
【０００３】
このように、多種の情報を表示させるために、歩数計は、複数のスイッチの操作を組み合わせ、または階層的なスイッチ操作によって多種の情報の切り替え表示を実現することが多い（たとえば、特許文献１参照。）。
【０００４】
【特許文献１】特開２００３−９９７５４号公報
【発明の開示】
【発明が解決しようとする課題】
【０００５】
しかしながら、上述した従来の歩数計では、スイッチ操作を繰り返すことによって、表示を切り替えるのが一般的であるため、歩数計本体をポケットに収納している際の誤動作など、携帯者が意図せずにスイッチ操作がなされることによって、現在どの情報が表示されているか混乱して分からなくなったり、通常の歩数を表示したいのにその表示画面への移行が容易にできずに支障を来す場合が多くあった。
【０００６】
この発明は、上述した従来技術による問題点を解消するため、何らの操作をすることなく、通常の歩数表示を常に自動的に表示することができる歩数計を提供することを目的とする。
【課題を解決するための手段】
【０００７】
上述した課題を解決し、目的を達成するため、この発明にかかる歩数計は、計数した歩数を歩数データとして記憶し、歩数データに基づき複数の歩数関連データを算出して記憶する歩数計において、歩数データおよび歩数関連データのそれぞれを複数の表示形式で表示可能な表示装置と、前記歩数データと歩数関連データの表示形式および歩数と歩数関連データとを切り替えるための操作手段とを有し、歩数データの表示から歩数データの所定の表示形式または歩数関連データに切り替えられて表示された後、所定時間操作手段の操作がおこなわれないときに歩数データの表示に自動的に切り替えることを特徴とする。
【０００８】
また、この発明にかかる歩数計は、上記発明において、前記歩数関連データが、消費カロリー、脂肪燃焼量、歩行距離、歩行時間、平均速度に関する情報の少なくともいずれか一つを含むことを特徴とする。
【０００９】
また、この発明にかかる歩数計は、上記発明において、前記歩数データと前記歩数関連データとが、互いに同じ種類の前記複数の表示形式を有することを特徴とする。
【００１０】
また、この発明にかかる歩数計は、上記発明において、前記歩数データと前記歩数関連データとが、互いに同じ数の前記複数の表示形式を有することを特徴とする。
【００１１】
また、この発明にかかる歩数計は、上記発明において、前記複数の表示形式が、異なる期間の歩数データおよび歩数関連データであることを特徴とする。
【発明の効果】
【００１２】
本発明にかかる歩数計によれば、通常の歩数表示以外の表示画面（歩数関連データの表示画面）に切り替えた場合には、所定時間経過後に通常の歩数表示画面に切り替えるので、何らの操作をすることなく、通常の歩数表示を常に自動的に表示することができるという効果を奏する。
【発明を実施するための最良の形態】
【００１３】
以下に添付図面を参照して、この発明にかかる歩数計の好適な実施の形態を詳細に説明する。
【００１４】
（歩数計のハードウェア構成）
図１は、この発明にかかる歩数計のハードウェア構成を示すブロック図である。図１に示すように、歩数計１００は、互いに異なる三方向（Ｘ軸方向、Ｙ軸方向およびＺ軸方向とする）の加速度を検出可能な３軸加速度センサを備えている。ここでは、３軸加速度センサを、Ｘ軸方向の加速度を検出するＸ軸加速度センサ１０１、Ｙ軸方向の加速度を検出するＹ軸加速度センサ１０２、およびＺ軸方向の加速度を検出するＺ軸加速度センサ１０３として示す。加速度センサとしては、周知のものを用いることができる。Ｘ軸方向、Ｙ軸方向およびＺ軸方向は、歩数計１００に固有の方向であり、歩数計１００の姿勢（向きや傾き）の変化に伴って変わる。
【００１５】
また、歩数計１００は、３軸加速度センサの出力信号に基づいて、歩数計１００を携帯する被験者（携帯者）の体動であるか否かを判断し、体動をカウントすることで歩数を計数する処理装置１０４を備えている。処理装置１０４の詳細な構成については、後述する。また、歩数計１００は、処理装置１０４でカウントされた体動を表示する表示装置１０５を備えている。表示装置１０５は、たとえば、液晶パネルと液晶駆動回路を備えている。表示装置１０５の詳細な構成については、後述する。
【００１６】
また、歩数計１００は、現在時刻および各種時間を計時する計時装置１０６と、各種操作スイッチからなる操作手段としての入力装置１０７を備えている。計時装置１０６は、たとえば発振回路から構成され、計時処理の基準となる所定の周波数を有する信号を発生する基準信号発生部と、基準信号発生部から発生される所定の周波数を有する信号を処理装置１０４および表示装置１０５に対して出力するカウンタとを備えている。
【００１７】
（処理装置の機能的構成）
図２は、この発明にかかる歩数計の処理装置の機能的構成を示すブロック図である。図２に示すように、処理装置１０４は、Ｘ軸アナログ／デジタル変換部２０１、Ｙ軸アナログ／デジタル変換部２０２、Ｚ軸アナログ／デジタル変換部２０３、加速度取得部２０４、上弦ピーク値検出部２０５および下弦ピーク値検出部２０６、算出手段としての機能を有するピーク差算出部２０７、判定手段としての機能を有する閾値判定部２０８、フラグ制御部２０９、計数部２１０並びに算出部２１１を備えている。これらの機能部については、ハードウェアにより実現されてもよいし、ＣＰＵ等でプログラムを実行することにより実現されてもよい。
【００１８】
Ｘ軸アナログ／デジタル変換部２０１、Ｙ軸アナログ／デジタル変換部２０２およびＺ軸アナログ／デジタル変換部２０３は、それぞれ、図示を省略する入力端子を介してＸ軸加速度センサ１０１、Ｙ軸加速度センサ１０２およびＺ軸加速度センサ１０３に接続されており、それらのセンサから出力されるアナログ電圧信号を所定の周期でサンプリングしてデジタルデータに変換する。Ｘ軸アナログ／デジタル変換部２０１、Ｙ軸アナログ／デジタル変換部２０２およびＺ軸アナログ／デジタル変換部２０３は、同一のタイミングでそれぞれのセンサ出力信号をサンプリングするのが望ましい。
【００１９】
加速度取得部２０４は、各軸のアナログ／デジタル変換部２０１，２０２，２０３の出力値に基づいて加速度の大きさを取得する。加速度の大きさは、増減を繰り返す。上弦ピーク値検出部２０５は、加速度取得部２０４により取得された加速度の大きさが増加傾向から減少傾向に切り替わるときのピーク値（上弦ピーク値とする）を検出する。上弦ピーク値を検出するために、上弦ピーク値検出部２０５は、たとえば、つぎのような処理をおこなう。
【００２０】
上弦ピーク値検出部２０５は、加速度取得部２０４から出力された加速度の値をバッファに格納し、そのバッファの格納値と、その次に加速度取得部２０４から出力された加速度の値を比較し、大きい方の値でバッファの格納値を更新する。そして、上弦ピーク値検出部２０５は、加速度取得部２０４から出力された加速度の値がバッファの格納値よりも小さくなったら、そのときのバッファの格納値を上弦ピーク値とする。
【００２１】
下弦ピーク値検出部２０６は、加速度取得部２０４により取得された加速度の大きさが減少傾向から増加傾向に切り替わるときのピーク値（下弦ピーク値とする）を検出する。下弦ピーク値を検出するために、下弦ピーク値検出部２０６は、たとえば、つぎのような処理をおこなう。
【００２２】
下弦ピーク値検出部２０６は、加速度取得部２０４から出力された加速度の値をバッファに格納し、そのバッファの格納値と、その次に加速度取得部２０４から出力された加速度の値を比較し、小さい方の値でバッファの格納値を更新する。そして、下弦ピーク値検出部２０６は、加速度取得部２０４から出力された加速度の値がバッファの格納値よりも大きくなったら、そのときのバッファの格納値を下弦ピーク値とする。
【００２３】
ピーク差算出部２０７は、下弦ピーク値検出部２０６により検出された下弦ピーク値および上弦ピーク値検出部２０５により検出された上弦ピーク値の差分を算出する。その際、ピーク差算出部２０７は、下弦ピーク値とその直後の上弦ピーク値との差分を算出してもよいし、上弦ピーク値とその直後の下弦ピーク値との差分を算出してもよい。
【００２４】
閾値判定部２０８は、ピーク差算出部２０７により算出された、下弦ピーク値と上弦ピーク値の差分を、予め設定されている閾値と比較し、その結果に基づいて体動を検出したか否かを判定する。たとえば閾値判定部２０８は、下弦ピーク値と上弦ピーク値の差分が閾値よりも大きいときに、体動を検出したと判定する。
【００２５】
フラグ制御部２０９は、閾値判定部２０８により体動を検出したと判定された場合に、所定のタイミングで体動検出フラグをオンにする。所定のタイミングとは、加速度取得部２０４により取得された加速度の大きさにより決まるタイミングである。また、フラグ制御部２０９は、体動検出フラグをオンにした後、所定期間経過した時点で体動検出フラグをオフに切り替える。
【００２６】
計数部２１０は、カウンタにより構成されており、体動検出フラグがオンになった回数をカウントし、カウント値のデータを保持（記憶）するとともに、計数部２１０のカウント値のデータを、図示を省略する出力端子を介して表示装置１０５へ送る。
【００２７】
また、算出部２１１は、体動検出フラグがオンになった回数、計時装置１０６からの時間に関する情報および予め設定された携帯者の体重、歩幅に関する情報などに基づいて、体動検出フラグがオンになった回数（歩数）以外の数値（歩数関連データ）を算出する。
このように、歩数関連データは、歩数データに基づき算出されるようにしてもよく、また、歩数データ以外のデータに基づき算出されるようにしてもよく、さらに、歩数データおよび歩数データ以外のデータに基づき算出されるようにしてもよい。
【００２８】
そして計数部２１０は、算出部２１１によって算出された結果に関する数値を受け取って、その数値データを保持（記憶）するとともに、その数値データを図示を省略する出力端子を介して表示装置１０５へ送る。
【００２９】
歩数関連データとは、具体的には、携帯者の消費カロリー、脂肪燃焼量、歩行距離、歩行時間、平均速度などである。また、歩数データと歩数関連データとは、互いに同じ種類の複数の表示形式を有するものであってもよい。さらには、歩数データと歩数関連データとは、互いに同じ数の前記複数の表示形式を有するものであってもよい。また、複数の表示形式は、異なる期間の歩数データおよび歩数関連データであってもよい。これらの歩数関連データの詳細については、後述する。
【００３０】
また、歩数データおよび歩数関連データの表示形式は、異なる時点から計数した歩数および歩数に関する情報であってもよい。具体的には、複数日にわたる累計データであってもよく、所定の区間を計測したデータでもよい。さらに、計数部２１０において記憶しておいた過去のデータであってもよい。そして計数部２１０は、算出部２１１によって算出された結果に関する数値を受け取って、その数値データを図示を省略する出力端子を介して表示装置１０５へ送る。
【００３１】
（表示装置の機能的構成）
図３は、この発明にかかる歩数計の表示装置の機能的構成を示すブロック図である。図３に示すように、表示装置１０５は、表示部３０１と、切り替え制御部３０２とを備えている。表示部３０１は、計数部２１０から送られたカウント値のデータ（歩数）と、歩数とは異なる数値データとを切り替えて表示する。表示部３０１は、たとえば液晶パネルなどによってその機能を実現する。
【００３２】
切り替え制御部３０２は、歩数に関する情報を表示するように表示部３０１を制御するとともに、入力装置１０７からの携帯者の所定の操作入力（スイッチ操作）に基づいて、表示部３０１に表示されている歩数に関する情報を歩数とは異なる数値データへ切り替えて表示するように表示部３０１を制御する。
【００３３】
そして、切り替え制御部３０２は、入力装置１０７からあらたに所定の操作入力がない状態で、計時装置１０６によって計時された時間が所定時間（たとえば１０秒）を経過した場合に、表示部３０１に表示されている歩数とは異なる数値データを歩数に関する情報へ切り替えて表示するように表示部３０１を制御する。切り替え制御部３０２は、たとえば液晶駆動回路によってその機能を実現する。
【００３４】
図４は、この発明にかかる歩数計の表示切り替え制御処理の手順を示すフローチャートである。図４のフローチャートにおいて、切り替え制御部３０２は、表示部３０１において、本日の歩数画面（「歩数表示」）が表示されるように制御する（ステップＳ４０１）。つぎに、所定のスイッチのいずれかが押下されたか否かを判断する（ステップＳ４０２）。ここで、上記所定のスイッチが押下されなければ（ステップＳ４０２：Ｎｏ）、表示部３０１において「歩数表示」を維持する。
【００３５】
そして、上記所定のスイッチが押下された場合（ステップＳ４０２：Ｙｅｓ）は、押下されたスイッチに応じた表示の切り替えをおこなう（ステップＳ４０３）。それとともに、計時を開始する（ステップＳ４０４）。
【００３６】
その後、ステップＳ４０４における計時が開始されてから所定時間（たとえば「１０秒」）が経過したか否かを判断する（ステップＳ４０５）。ここで、未だ１０秒が経過していない場合（ステップＳ４０５：Ｎｏ）は、所定のスイッチのいずれかが押下されたか否かを判断する（ステップＳ４０６）。そして、スイッチが押下された場合（ステップＳ４０６：Ｙｅｓ）は、ステップＳ４０３へ戻って、再び、押下されたスイッチに応じた表示の切り替えをおこなう（ステップＳ４０３）。以後ステップＳ４０３〜４０６の各処理を繰り返しおこなう。
【００３７】
ステップＳ４０５において、スイッチの押下がなく、１０秒が経過した場合（ステップＳ４０５：Ｙｅｓ）は、切り替え制御部３０２は、表示部３０１において上記「歩数表示」に表示を切り替えるよう制御する（ステップＳ４０７）。その後、ステップＳ４０２へ移行し、以後ステップＳ４０２〜Ｓ４０７の各処理を繰り返しおこなう。
【００３８】
このように処理することによって、表示が切り替わってから１０秒間、何らの操作が入力されなければ、かならず、「歩数表示」画面に切り替わる。それは、表示部３０１が「歩数表示」６００以外のどの画面を表示していても同様に１０秒後に「歩数表示」画面に切り替わるものである。
【００３９】
スイッチの押下は、携帯者の意志によるものはもとより、携帯者が意図しないスイッチの押下も含む。この場合でも、１０秒後には、「歩数表示」画面以外の表示画面から「歩数表示」画面６００に戻ることになる。
【００４０】
（歩数計の外観および表示画面の内容）
図５は、この発明にかかる歩数計の外観を示す説明図である。図５において、歩数計１００は、表示部（表示画面）３０１と、設定スイッチ５０１と、切替スイッチ５０２と、アップスイッチ５０３と、ダウンスイッチ５０４と、を備えている。
【００４１】
図６は、「歩数表示」画面の一例を示す説明図である。図６の「歩数表示」画面６００において、本日の歩数表示であるか否かは、左下側の「今日」という表示があるか否かで携帯者が容易に判断することができる。「１２４４１（歩）」が本日の歩数を示している。また、「１８：４５」が現在の時間を示している。
【００４２】
また、「６．２（エクササイズ）」は、厚生労働省が策定した「健康作りのための運動指針２００６」で示す身体活動量を表す単位であるエクササイズ量を示している。エクササイズ量は身体活動の強度（メッツ）に身体活動の実施時間（時）を乗算することによって算出する。メッツとは、安静時の何倍に相当するかの身体活動の強度を表す単位であり、普通歩行は３メッツに相当する。たとえば普通歩行を２０分おこなうと、３メッツ×１／３時間（２０分）＝１エクササイズとなる。
【００４３】
図６に示した「歩数表示」画面６００が表示されている状態において、切替スイッチ５０２が１回押下されると、つぎに、図７に示す「消費カロリー」画面７００に切り替わる。図７においては、図６に示した携帯者の歩数である「１２４４１（歩）」に基づいて図２に示した算出部２１１によって算出された消費カロリーである「３９５．９（ｋｃａｌ）」を表示する。その他の表示は図６と同様である。
【００４４】
図７に示した「消費カロリー」画面７００において、画面が切り替わってから、１０秒間、上記いずれのスイッチ５０１〜５０４が押下されなかった場合は、１０秒経過後に図６に示した「歩数表示」画面６００に切り替わる。一方、１０秒経過前に切替スイッチ５０２が１回押下されると、つぎに、図８に示す「脂肪燃焼量」画面８００に切り替わる。図８においては、図６に示した携帯者の歩数である「１２４４１（歩）」に基づいて図２に示した算出部２１１によって算出された脂肪燃焼量である「５６．５（ｇ）」を表示する。その他の表示は図６と同様である。
【００４５】
図８に示した「脂肪燃焼量」画面８００において、画面が切り替わってから、１０秒間、上記いずれのスイッチ５０１〜５０４が押下されなかった場合は、１０秒経過後に図６に示した「歩数表示」画面６００に切り替わる。一方、１０秒経過前に切替スイッチ５０２が１回押下されると、つぎに、図９に示す「歩行距離」画面９００に切り替わる。図９おいては、図６に示した携帯者の歩数である「１２４４１（歩）」に基づいて図２に示した算出部２１１によって算出された歩行距離である「８．９８（ｋｍ）」を表示する。その他の表示は図６と同様である。
【００４６】
図９に示した「歩行距離」画面９００において、画面が切り替わってから、１０秒間、上記いずれのスイッチ５０１〜５０４が押下されなかった場合は、１０秒経過後に図６に示した「歩数表示」画面６００に切り替わる。一方、１０秒経過前に切替スイッチ５０２が１回押下されると、つぎに、図１０に示す「歩行時間」画面１０００に切り替わる。図１０においては、図２に示した算出部２１１によって算出された歩行時間である「１１２（分）」を表示する。その他の表示は図６と同様である。
【００４７】
図１０に示した「歩行時間」画面１０００において、画面が切り替わってから、１０秒間、上記いずれのスイッチ５０１〜５０４が押下されなかった場合は、１０秒経過後に図６に示した「歩数表示」画面６００に切り替わる。一方、１０秒経過前に切替スイッチ５０２が１回押下されると、つぎに、図１１に示す「平均速度」画面１１００に切り替わる。図１１においては、図２に示した算出部２１１によって算出された平均速度である「４．８１（ｋｍ／時）」を表示する。その他の表示は図６と同様である。
【００４８】
図１１に示した「平均速度」画面１１００において、画面が切り替わってから、１０秒間、上記いずれのスイッチ５０１〜５０４が押下されなかった場合は、１０秒経過後に図６に示した「歩数表示」画面６００に切り替わる。また、１０秒経過前に切替スイッチ５０２が１回押下されても、図６に示した「歩数表示」画面６００に切り替わる。
【００４９】
このようにして、切替スイッチ５０２が１回押下されるごとに、図６に示した「歩数表示」画面６００→図７に示した「消費カロリー」画面７００→図８に示した「脂肪燃焼量」画面８００→図９に示した「歩行距離」画面９００→図１０に示した「歩行時間」画面１０００→図１１に示した「平均速度」画面１１００→図６に示した「歩数表示」画面６００と循環して切り替わる。その間であっても、各画面が表示されてから１０秒間が経過すると、図６に示した「歩数表示」画面６００に戻る。
【００５０】
「歩数表示」または、歩数関連データが表示されている状態において、設定スイッチ５０１が１回押下されると、つぎに、図１２に示す「累計データ」画面１２００に表示形式が切り替わる。図１２においては、７日間の累計データ（６日前から今日まで）である「６９０７０（歩）」を表示する。「累計データ」画面１２００であるか否かは、画面の左上側の「累計」という文字の表示および左下側の「〜今日」という表示があるか否かで携帯者が容易に判断することができ、「１／０１」という表示から、１月１日〜今日までの累計データであることも携帯者が容易に判断することができる。
【００５１】
図１２に示した「累計データ」画面１２００において、画面が切り替わってから、１０秒間、上記いずれのスイッチ５０１〜５０４が押下されなかった場合は、１０秒経過後に図６に示した「歩数表示」画面６００に切り替わる。一方、１０秒経過前に設定スイッチ５０１が１回押下されると、つぎに、図１３に示す「区間計測」画面１３００に表示形式が切り替わる。
【００５２】
図１３においては、任意の複数区間（たとえば３区間）を測定することができる。図１３では、「累計計測」画面１３００は、「１」の区間において「１６８４（歩）」であることを示している。区間の切り替えは、アップスイッチ５０３およびダウンスイッチ５０４を押下することによっておこなう。また、区間のリセットは設定スイッチ５０１を長押しすることによっておこなう。
【００５３】
図１３に示した「区間計測」画面１３００において、画面が切り替わってから、１０秒間、上記いずれのスイッチ５０１〜５０４が押下されなかった場合は、１０秒経過後に図６に示した「歩数表示」画面６００に切り替わる。一方、１０秒経過前に設定スイッチ５０１が１回押下されると、つぎに、図１４に示す「日時」画面１４００に切り替わる。「日時」画面１４００では、日付（１月１日：「１／０１」）、時計（１８時４５分：「１８：４５」）、年（２００８年：「０８」）が表示される。
【００５４】
図１４に示した「日時」画面１４００において、画面が切り替わってから、１０秒間、上記いずれのスイッチ５０１〜５０４が押下されなかった場合は、１０秒経過後に図６に示した「歩数表示」画面６００に切り替わる。また、１０秒経過前に設定スイッチ５０１が１回押下されても、図６に示した「歩数表示」画面６００に切り替わる。
【００５５】
このように、設定スイッチ５０１が１回押下されるごとに、図６に示した「歩数表示」画面６００→図１２に示した「累計データ」画面１２００→図１３に示した「区間計測」画面１３００→図１４に示した「日時」画面１４００→図６に示した「歩数表示」画面６００と循環して切り替わる。その間であっても、各画面が表示されてから１０秒間が経過すると、図６に示した「歩数表示」画面６００に戻る。
【００５６】
また、図６に示した「歩数表示」画面６００が表示されている状態において、アップスイッチ５０３が１回押下されると、図１５に示すように、「メモリー（１日前の歩数表示）」画面１５００に切り替わる。本日が１月１日であり、画面１５００の左下に「１２／３１」および「メモリー」と表示されることから、メモリー表示であることを携帯者は容易に理解することができる。
【００５７】
さらに、アップスイッチ５０３を１回押下されるたびに、図示は省略するが、「２日前」→「３日前」→・・・→「１４日前」→「今日」と表示形式が切り替わる。反対に、ダウンスイッチ５０４が１回押下されるたびに、「１４日前」→「１３日前」→・・・→「２日前」→「今日」と表示形式が切り替わる。メモリーは１４日としたが、この日数には限定されず、１４日よりも短くてもよく、また１４日よりも長くてもよい。
【００５８】
各画面（７００〜１３００）においても、アップスイッチ５０３を１回押下されるたびに、図示は省略するが、それぞれの歩数関連データの「２日前」→「３日前」→・・・→「１４日前」→「今日」と表示形式が切り替わる。反対に、ダウンスイッチ５０４が１回押下されるたびに、それぞれの歩数関連データの「１４日前」→「１３日前」→・・・→「２日前」→「今日」と表示形式が切り替わる。
【００５９】
また、「２日前」の「歩行表示」画面が表示されている状態において、切替スイッチ５０２が１回押下されるごとに、図示は省略するが、「２日前」の「消費カロリー」画面→「２日前」の「脂肪燃焼量」画面→「２日前」の「歩行距離」画面→「２日前」の「歩行時間」画面→「２日前」の「平均速度」画面→「２日前」の「歩数表示」画面というように同じ表示形式で表示する歩数関連データが循環して切り替わる。
【００６０】
これら各画面（７００〜１４００および図示を省略した画面）においても、上述した画面と同様に、１０秒間何も操作指示がなかった場合は、１０秒経過後に、各画面の「今日」に表示が切り替わるのではなく、図６に示した「歩数表示」画面６００に切り替わる。すなわち、「４日前」の「歩行距離」画面が表示されていても、何らの操作指示がなかった場合は、１０秒後に「歩行距離」画面９００に切り替えるのではなく、図６に示した「歩数表示」画面６００に切り替わる。
【００６１】
以上説明したように、実施の形態によれば、所定間隔で検出される複数の体動を連続と判断し、連続した体動を所定回数検出したときに体動を歩行と判断する閾値判定部２０８と、閾値判定部２０８による判断結果に基づいて、所定の時点からの歩数を計数する計数部２１０と、計数部２１０によって計数された歩数に関する情報と、歩数とは異なる情報とを切り替えて表示する表示部３０１と、歩数に関する情報と歩数とは異なる情報との表示の切り替え指示を含む所定の操作入力を受け付ける入力装置１０７と、歩数に関する情報を表示するように表示部３０１を制御するとともに、所定の操作入力に基づいて、表示部３０１に表示されている歩数に関する情報を歩数とは異なる情報（歩数関連データ）へ切り替えて表示するように表示部３０１を制御する切り替え制御部３０２と、所定の操作入力があってからの時間を計時する計時装置１０６と、を備え、切り替え制御部３０２は、あらたに所定の操作入力がない状態で、計時装置１０６によって計時された時間が所定時間を経過した場合に、表示部３０１に表示されている歩数とは異なる情報（歩数関連データ）を歩数に関する情報へ切り替えて表示するように表示部３０１を制御する。
【００６２】
これによって、歩数データの表示から歩数データの所定の表示形式または歩数関連データに切り替えられて表示された後、所定時間操作手段の操作がおこなわれないときに歩数データの表示に自動的に切り替えることができる。
【００６３】
また、所定の時点からの計数部２１０によって計数される歩数以外の数値を算出する算出部２１１を備え、歩数情報とは異なる情報（歩数関連データ）が、算出部２１１によって算出された数値に関する情報であってもよい。それにより、通常の歩数表示以外の表示画面に切り替えた場合には、所定時間経過後に通常の歩数表示画面に切り替えることができる。したがって、何らの操作をすることなく、通常の歩数表示を常に自動的に表示することができる。
【００６４】
以上において本発明は、上述した実施の形態に限らず、種々変更可能である。たとえば、上記１０秒が経過した場合であっても、所定の動きを検知した場合（一度でも動きがあった場合）は、画面が通常の歩数表示には戻らないようにしてもよい。あるいは通常の歩数表示へ戻るまで時間（１０秒）を延長するようにしてもよい。
【００６５】
また、携帯者による携帯を検知した場合（連続した動きがあった場合）は、上記１０秒が経過した場合であっても、所定の動きを検知した場合（一度でも動きがあった場合）は、画面が通常の歩数表示には戻らないようにしてもよい。あるいは通常の歩数表示へ戻るまで時間（１０秒）を延長するようにしてもよい。
【００６６】
また、携帯者による歩行を検知した場合（連続した動きがあった場合）は、上記１０秒が経過した場合であっても、所定の動きを検知した場合（一度でも動きがあった場合）は、画面が通常の歩数表示には戻らないようにしてもよい。あるいは通常の歩数表示へ戻るまで時間（１０秒）を延長するようにしてもよい。
【００６７】
また、歩数計が所定の傾きを検知した場合（３次元加速度センサによる検出をした場合）は、上記１０秒が経過した場合であっても、所定の動きを検知した場合（一度でも動きがあった場合）は、画面が通常の歩数表示には戻らないようにしてもよい。あるいは通常の歩数表示へ戻るまで時間（１０秒）を延長するようにしてもよい。
【００６８】
また、所定の動作を検知した場合（入力ボタンなどの押下や本体を振るなど）は、上記１０秒が経過した場合であっても、所定の動きを検知した場合（一度でも動きがあった場合）は、画面が通常の歩数表示には戻らないようにしてもよい。あるいは通常の歩数表示へ戻るまで時間（１０秒）を延長するようにしてもよい。
【産業上の利用可能性】
【００６９】
以上のように、本発明にかかる歩数計は、通常の歩数を頻繁に確認する携帯者が携帯する歩数計に有用である。
【図面の簡単な説明】
【００７０】
【図１】この発明の実施の形態にかかる歩数計のハードウェア構成を示すブロック図である。
【図２】この発明の実施の形態にかかる歩数計の処理装置の機能的構成を示すブロック図である。
【図３】この発明の実施の形態にかかる歩数計の表示装置の機能的構成を示すブロック図である。
【図４】この発明の実施の形態にかかる歩数計の表示切り替え制御処理の手順を示すフローチャートである。
【図５】この発明の実施の形態にかかる歩数計の外観を示す説明図である。
【図６】この発明の実施の形態にかかる歩数計の表示内容の一例（歩数表示）を示す説明図である。
【図７】この発明の実施の形態にかかる歩数計の表示内容の一例（消費カロリー）を示す説明図である。
【図８】この発明の実施の形態にかかる歩数計の表示内容の一例（脂肪燃焼量）を示す説明図である。
【図９】この発明の実施の形態にかかる歩数計の表示内容の一例（歩行距離）を示す説明図である。
【図１０】この発明の実施の形態にかかる歩数計の表示内容の一例（歩行時間）を示す説明図である。
【図１１】この発明の実施の形態にかかる歩数計の表示内容の一例（平均速度）を示す説明図である。
【図１２】この発明の実施の形態にかかる歩数計の表示内容の一例（累計データ）を示す説明図である。
【図１３】この発明の実施の形態にかかる歩数計の表示内容の一例（区間計測）を示す説明図である。
【図１４】この発明の実施の形態にかかる歩数計の表示内容の一例（日時）を示す説明図である。
【図１５】この発明の実施の形態にかかる歩数計の表示内容の一例（メモリー）を示す説明図である。
【符号の説明】
【００７１】
１００  歩数計
１０１，１０２，１０３  加速度センサ
１０４  処理装置
１０５  表示装置
１０６  計時装置
１０７  入力装置
２１０  計数部
２１１  算出部
３０１  表示部
３０２  切り替え制御部
６００  「歩数表示」画面
７００  「消費カロリー」画面
８００  「脂肪燃焼量」画面
９００  「歩行距離」画面
１０００  「歩行時間」画面
１１００  「平均速度」画面
１２００  「累計データ」画面
１３００  「区間計測」画面
１４００  「日時」画面
１５００  「メモリー」画面 
【図１】
0004746607.tif 000002
【図２】
0004746607.tif 000003
【図３】
0004746607.tif 000004
【図４】
0004746607.tif 000005
【図５】
0004746607.tif 000006
【図６】
0004746607.tif 000007
【図７】
0004746607.tif 000008
【図８】
0004746607.tif 000009
【図９】
0004746607.tif 000010
【図１０】
0004746607.tif 000011
【図１１】
0004746607.tif 000012
【図１２】
0004746607.tif 000013
【図１３】
0004746607.tif 000014
【図１４】
0004746607.tif 000015
【図１５】
0004746607.tif 000016